(57)【特許請求の範囲】
【請求項１】
パイプハウスの側面を支持するための支柱の下端に支柱とほぼ直角に水平板を固定してあり、しかも支柱の側面にその半径方向に立てて固定した鉛直方向に長い一定幅の羽根板の下端を前記の水平板に連結固定してなる支柱を用い、
前記支柱の前記羽根板を含む部分を地中に掘った縦孔に挿入し立てた状態で、前記水平板の上を埋め込んでなる支柱の固定構造において、
前記羽根板の面がパイプハウス側面と平行となるように配置してなることを特徴とするパイプハウス。
【請求項２】
前記の羽根板と水平板を含む部分を地中に埋め込んでなる支柱の上端と、前記パイプハウス側面のパイプ足部の下端とが互いに連結されていることを特徴とする請求項１に記載のパイプハウス。
【請求項３】
前記パイプハウス側面から延びたパイプが、パイプ端部同士のオスメス構造で連結される部分において、交差する他のパイプを重ねた状態で、それぞれのパイプにボルトを挿通し、ボルトナットで締めつけ固定されていることを特徴とする請求項１または請求項２に記載のパイプハウス。
【請求項４】
パイプハウスの側面を支持するための支柱の下端に支柱とほぼ直角に水平板を固定してあり、支柱の側面にその半径方向に立てて固定した鉛直方向に長い一定幅の羽根板の下端を前記の水平板に連結固定してなる支柱を用い、
前記支柱の前記羽根板を含む部分を地中に埋め込んでなる支柱の固定構造において、
前記羽根板の面がパイプハウス側面と平行となるように配置することを特徴とするパイプハウスの揺れ抑制方法。
【発明の詳細な説明】
【０００１】
【産業上の利用分野】
本発明は、農業用や畜舎などに適するハウス、特に骨組みをパイプで構成したハウスに関する。
【０００２】
【従来の技術と発明が解決しようとする課題】
従来のパイプハウスは、ハウスの骨組みを構成するパイプを地中に固定するために、地中にコンクリート製の基礎を施工し、コンクリート基礎にパイプ支柱を固定する構造が一般的である。
【０００３】
この施工構造は、堅牢ではあるが、コスト高となるのが欠点である。一方、低コストで施工するために、地中に支柱を直接打ち込んだだけでは、強風を受けた場合にぐらついたり、抜けたりする恐れがあり、確実かつ強固に固定することは不可能である。
【０００４】
したがって、低コストで施工でき、しかも支柱を堅牢に固定できるハウスが要求される。
【０００５】
別の問題として、パイプハウスでは、パイプの長さが足りない場合や、組立て分解式にするために、パイプ同士を連結する必要性が多々生じる。また、パイプ同士を交差させた状態で、互いに連結固定する個所も多数発生する。
【０００６】
このような場合、従来の施工構造では、それぞれの連結固定が別々に独立して行われているために、構造が複雑化し、組立て分解に手間取るほか、コスト高となった。
【０００７】
本発明の技術的課題は、このような問題に着目し、支柱の固定を堅牢にかつ低コストで施工でき、また各パイプ間も簡素で低コストに連結可能なパイプハウスを実現可能とすることにある。
【０００８】
【課題を解決するための手段】
本発明の技術的課題は次のような手段によって解決される。請求項１は、パイプハウスの側面を支持するための支柱の下端に支柱とほぼ直角に水平板を固定してあり、しかも支柱の側面にその半径方向に立てて固定した鉛直方向に長い一定幅の羽根板の下端を前記の水平板に連結固定してなる支柱を用い、前記支柱の前記羽根板を含む部分を地中に掘った縦孔に挿入し立てた状態で、前記水平板の上を埋め込んでなる支柱の固定構造において、前記羽根板の面がパイプハウス側面と平行となるように配置してなることを特徴とするパイプハウスである。羽根板は１枚でもよいが、各方向の揺れを防止するには、十字状に４枚設けるのが好ましい。
【０００９】
このように、パイプハウスの側面を支持するための支柱の下端に支柱とほぼ直角に水平板を固定してあり、しかも支柱の側面にその半径方向に立てて固定した鉛直方向に長い一定幅の羽根板の下端を前記の水平板に連結固定してなる支柱を用い、前記支柱の前記羽根板を含む部分を地中に掘った縦孔に挿入し立てた状態で、前記水平板の上を埋め込んでなる支柱の固定構造を採用しているため、水平板の上の土砂などが抵抗となって支柱の抜け止めとなる。また、砂地などの軟弱地盤における沈下防止にもなる。
【００１０】
特に、支柱の鉛直方向に長い前記羽根板の面がパイプハウス側面と平行となるように配置してあるため、ハウスの側面に大きな風圧を受けても、鉛直方向に長い羽根板が抵抗となって、パイプハウス全体の側面方向の揺れを効果的に抑制できる。しかも、この羽根板の下端と前記水平板とを連結固定してあるので、支柱と水平板と羽根板とが相互に補強し合い、全体の強度や外力に対する抵抗も向上する。
【００１１】
請求項２は、前記の羽根板と水平板を含む部分を地中に埋め込んでなる支柱の上端と、前記パイプハウス側面のパイプ足部の下端とが互いに連結されていることを特徴とする請求項１に記載のパイプハウスである。このように、請求項１における鉛直方向に長い羽根板の作用で、支柱のハウス側面方向の揺れ防止が確保され、かつ地中に確実・堅牢に固定された支柱の上端に、パイプハウス側面のパイプ足部下端が連結されているので、連結構造においても、ハウス全体の側面方向の揺れが確実に抑制される。
【００１２】
請求項３は、前記パイプハウス側面から延びたパイプが、パイプ端部同士のオスメス構造で連結される部分において、交差する他のパイプを重ねた状態で、それぞれのパイプにボルトを挿通し、ボルトナットで締めつけ固定されていることを特徴とする請求項１または請求項２に記載のパイプハウスである。
【００１３】
このように、前記パイプハウス側面から延びたアーチパイプが、パイプ端部同士のオスメス構造で連結される部分において、交差する他のパイプを重ねた状態で、それぞれのパイプにボルトを挿通し、ボルトナットで締めつけ固定される構造にしてあるので、１本のボルトナットで、パイプの端部同士を連結固定できると同時に、交差する他のパイプとの連結固定もできる。したがって、１本のボルトナットで、同時に複数か所の連結固定が可能となり、パイプハウスにおけるパイプ同士の連結構造が簡素化され、組立て施工も簡便化される。
【００１４】
特に、複数か所を同時に連結固定した部分では、１本のボルトナットに各方向から外力が作用するが、ハウス側面の支柱が地中に強固に固定され、ハウス側面方向の揺れが抑制されているため、１本のボルトナットで同時に複数か所を連結固定しても、損傷する恐れは少なく、信頼性の高いパイプハウスを実現できる。しかも、全体的に構造が簡素なため、安価に施工できる。
【００１５】
請求項４は、パイプハウスの側面を支持するための支柱の下端に支柱とほぼ直角に水平板を固定してあり、支柱の側面にその半径方向に立てて固定した鉛直方向に長い一定幅の羽根板の下端を前記の水平板に連結固定してなる支柱を用い、前記支柱の前記羽根板を含む部分を地中に埋め込んでなる支柱の固定構造において、前記羽根板の面がパイプハウス側面と平行となるように配置することを特徴とするパイプハウスの揺れ抑制方法である。
【００１６】
ハウスの側面に受ける風圧が大きいが、請求項４のように、パイプハウス側面を支持するための支柱の鉛直方向に長い一定幅の羽根板と下端の水平板を含む部分を地中に埋め込んでなる支柱の固定構造において、前記羽根板の面がパイプハウス側面と平行となるように配置することによってパイプハウスの揺れを抑制する方法を採っているため、ハウス側面に大きな風圧を受けても、鉛直方向に長い羽根板の面が効果的に抵抗となって、ハウス全体の側面方向の揺れを効果的に抑制できる。
【００１７】
【発明の実施の形態】
次に本発明による支柱の固定構造ならびにパイプの連結構造が実際上どのように具体化されるか実施形態を説明する。図１は１棟のパイプハウスを妻面から見た図であり、主な骨組みのみを図示してある。
【００１８】
ハウスの左右の側面を支持する支柱１、２が大地３に立てて固定されている。そして、左側の支柱１の上端に連結された左側のアーチパイプ４と、右側の支柱２の上端に連結された右側のアーチパイプ５とが、例えば峰寄りの位置６で互いにオスメス構造で連結されている。つまり、左右のアーチパイプ４、５同士を連結することでアーチ状に形成されている。
【００１９】
左右のアーチパイプ４、５間は、側面部７と屋根部８との間の肩部９において、陸梁パイプ１０で連結されている。そして、この陸梁パイプ１０の上に立てた中束パイプ１１で直管パイプ１５を支持し、その上にアーチパイプ４、５の前記連結部６を連結支持している。なお、中束パイプ１１はアーチパイプ５の峰寄りに連結してもよい。
【００２０】
このようなアーチパイプ４、５を紙面と垂直方向に例えば１〜２ｍ間隔で配置し、陸梁パイプ１０はさらに間隔を置いて、要所要所のみに配置しておく。そして、各アーチパイプ４、５…間並びに各陸梁パイプ１０…間を、紙面と垂直方向すなわち桁方向の直管パイプで連結してある。
【００２１】
例えば、前記の肩部９付近において、直管パイプ１２で連結してあり、前記の支柱１、２寄りの位置において直管パイプ１３で連結してあり、アーチパイプ４、５の屋根部の中間において直管パイプ１４で連結してある。また、アーチパイプ４、５の峰部寄りの前記連結部６において前記の直管パイプ１５で連結してあり、前記の陸梁パイプ１０の峰位置の真下付近において、直管パイプ１６で連結してある。なお、直管パイプとは、桁方向に長い水平のパイプを指す。
【００２２】
以上は、骨組みの主な部分だけであって、それぞれのパイプの間にさらに他のパイプを付加して、図６のように構成してもよい。また、骨組みの上に長尺部材を取付けて、その上にネットを張ったり、温度調節用のビニールなどを被せて固定すると、パイプハウスが完成する。
【００２３】
アーチパイプ４、５の足部４Ｌ、５Ｌを支持する支柱１、２は、図２、図３のような構成になっている。図２は、支柱１、２の斜視図と平面図である。支柱１、２は通常は金属製のパイプからなり、その下端に、支柱１、２とほぼ直角に水平板１７を溶接などの手段で固定してある。支柱１、２が直径５ｃｍ程度とすると、水平板１７の１辺は支柱１、２の直径の約３倍の１５ｃｍ程度が適している。
【００２４】
支柱１、２には、地中に埋設する部分の側面に、半径方向に立てて溶接固定した羽根板１８を有している。この羽根板１８は、図示のように、１８０度間隔に２枚固定してもよいし、９０度間隔に４枚固定して十字状に設けてもよく、あるいは１枚のみでも可能である。図示のように、１８０度間隔に設ける場合は、支柱１、２の下端寄りに１８０度間隔にスリットを形成し、その中に１枚の鉄板を挿入して、溶接固定してもよい。
【００２５】
そして、各羽根板１８、１８の下端は、前記の水平板１７の上面に連結固定してある。すなわち、連結部１９において、互いに溶接固定されている。羽根板１８、１８の直径方向の寸法は、前記の水平板１７の１辺の寸法と同程度がよい。羽根板１８、水平板１７および支柱１、２の肉厚は、特に限定しないが、数ｍｍ程度が適している。なお、水平板１７の中央に、支柱１、２内に通じる孔を開けて、支柱１、２内の雨水が地中に抜けるようにしてある。
【００２６】
この支柱１、２の使用に際しては、図３のように、水平板１７および羽根板１８、１８の部分を地中に埋める。すなわち、地中に、水平板１７および羽根板１８、１８の部分が入る程度のサイズの縦孔を掘り、その中に支柱１、２の水平板１７および羽根板１８、１８の部分を挿入し、支柱１、２を立ててから、水平板１７および羽根板１８、１８の上に土砂を埋め戻す。水平板１７の上に石などを埋め込んで加圧してもよい。
【００２７】
こうして、支柱１、２の下端の水平板１７および側面の羽根板１８、１８の部分を地中に掘った縦孔に挿入し埋め込むと、水平板１７が抜け止めや沈下防止として作用するので、支柱１、２が容易に抜けたり沈下するようなことはない。また、支柱１、２の揺れも抑制できる。特に、羽根板１８、１８が付いているため、羽根板１８、１８の面に対し垂直方向の外力に対しては、支柱１、２の揺れを効果的に抑制できる。なお、羽根板１８、１８は、支柱１、２の回転防止にもなる。
【００２８】
このように、水平板１７と羽根板１８を有する簡単な構造の支柱１、２を地中に埋め込むだけで台風などによる支柱１、２の揺れや抜け、沈下を抑制できるので、パイプハウスその他の支柱の固定構造として極めて有効である。
【００２９】
図２、図３の支柱１、２の高さは任意であり、用途に応じた高さにすればよい。簡易型のパイプハウスの場合は、図１のアーチパイプ４、５の足部４Ｌ、５Ｌを支柱１、２として、直接地中に埋め込んでもよいが、地中に埋め込み固定した支柱１、２に、別体のアーチパイプ４、５の足部４Ｌ、５Ｌを連結固定するのが簡便である。
【００３０】
すなわち、支柱１、２の、地面より突出した部分に横孔２０を開けておく。そして、アーチパイプ４、５の足部４Ｌ、５Ｌを支柱１、２の上端に挿入した状態で、前記足部４Ｌ、５Ｌに開けた横孔と支柱１、２の横孔２０にボルトを挿通して、反対側からナットで締めつけ固定する。
【００３１】
このように、地中に立てた、揺れの少ない支柱１、２にパイプハウスのアーチパイプ４、５を連結固定することで、パイプハウス全体が台風に対しても耐えられる堅牢な構造となる。しかも、コンクリート製の基礎工事を要しないので、安価に施工できる。
【００３２】
図４は、図１のオスメス構造の連結部６の詳細を示す断面図である。オスメス構造の連結部６では、左側のアーチパイプ４に対し、右側のアーチパイプ５が細くなっている。そして、細くなっている部分５ａが、左側のアーチパイプ４中に挿入されている。したがって、左側のアーチパイプ４の先端の内径よりも、右側のアーチパイプ５の先端５ａの外径がわずかに細い程度が適している。
【００３３】
このように、右側のアーチパイプ５の先端の小径部５ａを左側のアーチパイプ４の先端に挿入するだけでは、抜ける恐れがあるので、ボルトＢ１を挿通してナットＮ１で締めつけ固定してある。ただし、図示のように、オスメス構造の連結部６と交差している他のパイプ１５とも前記のボルトＢ１で連結されている。
【００３４】
すなわち、連結部６の下面において、紙面と垂直方向に直管パイプ１５が延びているが、連結部６における抜け止め用のボルトＢ１を兼用して、交差している直管パイプ１５との連結も行なっている。
【００３５】
直管パイプ１５も所々で連結して延長する場合もある。このような場合は、図示のように、直管パイプ１５の端部同士をオスメス構造で連結する部分６を前記のアーチパイプの連結部６と交差させて共通のボルトＢ１を挿通し、ナットＮ１で締めつけ固定することもできる。結局、１本のボルトナットで３ヶ所の連結を行っていることになる。
【００３６】
図５は、図４の連結部の斜視図であり、左右のアーチパイプ４と５とがオスメス構造で連結された部分６の下側において直管パイプ１５・１５同士がオスメス構造で連結された部分６とが交差した状態で、１本のボルトＢ１を挿通し連結固定されている。
【００３７】
なお、アーチパイプ４、５の上には、ネットやビニールを張るための支持用の長尺部材２１がビス止めされているが、この長尺部材２１にもボルトＢ１を挿通可能とし、長尺部材２１と直管パイプ１５のオスメス連結部６との間にアーチパイプ４、５同士のオスメス連結部６を挟んだ状態でボルトＢ１を挿通してナットＮ１で締めつけ固定することも可能である。
【００３８】
図示のオスメス連結部６では、小径側の挿入部５ａは、パイプ５の先端のみを絞って径を小さくした形状になっているが、小径の挿入部５ａと同じ太さの別体の小径パイプを大径のパイプ５に予め挿入して溶接固定し、一体化しておいてもよい。
【００３９】
なお、アーチパイプ４、５や直管パイプ１５のオスメス連結部６のみに小径パイプ５ａを設けるのでなく、全長にわたって小径のパイプを用いることも可能である。
【００４０】
図６は、以上のような各発明を採用したパイプハウスの骨組みの全容の斜視図であり、しかも２棟を連結した連棟構造になっている。このような連棟構造にする場合は、図７のように、互いに隣接するアーチパイプ４、５の足部４Ｌ、５Ｌは、片方４Ｌのみを前記の支柱１に連結して支持し、この連結支持されたアーチパイプの足部４Ｌに隣接するアーチパイプの足部５Ｌを重ねて平行状態に連結するのがよい。
【００４１】
このときも、図３のように、支柱１にアーチパイプ４の足部４Ｌ、を挿入して、それぞれの横孔２０にボルトを挿通する際に、隣接するアーチパイプ５の足部５Ｌにも横孔２０を開けておき、両方の足部４Ｌ、５Ｌの横孔２０にボルトＢ２を挿通して、ナットＮ２で締めつけ固定するのがよい。
【００４２】
つまり、共用するボルトＢ２によって、支柱１とアーチパイプ４の足部４Ｌとの連結と、隣接するアーチパイプ５の足部５Ｌとの連結を兼用できる。
【００４３】
このように連棟構造にする場合の隣接するアーチパイプ４、５の足部４Ｌ、５Ｌは鉛直に立っているので、足部４Ｌを支持する支柱１も鉛直に立てる必要があるが、図１のように、アーチパイプ４、５の側面部分を斜めにする場合は、支持用の支柱１、２も図示のように斜めに立ててもよい。
【００４４】
また、ハウスの側面７に受ける風圧が大きいので、アーチパイプ４、５の揺れ防止のためには、図１のように、支柱１、２の羽根板１８が側面７と平行になるように、支柱１、２を固定する必要がある。
【００４５】
【発明の効果】
請求項１のように、パイプハウスの側面を支持するための支柱の下端に支柱とほぼ直角に水平板を固定してあり、しかも支柱の側面にその半径方向に立てて固定した鉛直方向に長い一定幅の羽根板の下端を前記の水平板に連結固定してなる支柱を用い、前記支柱の前記羽根板を含む部分を地中に掘った縦孔に挿入し立てた状態で、前記水平板の上を埋め込んでなる支柱の固定構造を採用しているため、水平板の上の土砂などが抵抗となって支柱の抜け止めとなる。また、砂地などの軟弱地盤における沈下防止にもなる。
【００４６】
特に、支柱の鉛直方向に長い前記羽根板の面がパイプハウス側面と平行となるように配置してあるため、ハウスの側面に大きな風圧を受けても、鉛直方向に長い羽根板が抵抗となって、パイプハウス全体の側面方向の揺れを効果的に抑制できる。しかも、この羽根板の下端と前記水平板とを連結固定してあるので、支柱と水平板と羽根板とが相互に補強し合い、全体の強度や外力に対する抵抗も向上する。
【００４７】
請求項２のように、請求項１における鉛直方向に長い羽根板の作用で、支柱のハウス側面方向の揺れ防止が確保され、かつ地中に確実・堅牢に固定された支柱の上端に、パイプハウス側面のパイプ足部下端が連結されているので、連結構造においても、ハウス全体の側面方向の揺れが確実に抑制される。
【００４８】
請求項３のように、前記パイプハウス側面から延びたアーチパイプが、パイプ端部同士のオスメス構造で連結される部分において、交差する他のパイプを重ねた状態で、それぞれのパイプにボルトを挿通し、ボルトナットで締めつけ固定される構造にしてあるので、１本のボルトナットで、パイプの端部同士を連結固定できると同時に、交差する他のパイプとの連結固定もできる。したがって、１本のボルトナットで、同時に複数か所の連結固定が可能となり、パイプハウスにおけるパイプ同士の連結構造が簡素化され、組立て施工も簡便化される。
【００４９】
特に、複数か所を同時に連結固定した部分では、１本のボルトナットに各方向から外力が作用するが、ハウス側面の支柱が地中に強固に固定され、ハウス側面方向の揺れが抑制されているため、１本のボルトナットで同時に複数か所を連結固定しても、損傷する恐れは少なく、信頼性の高いパイプハウスを実現できる。しかも、全体的に構造が簡素なため、安価に施工できる。
【００５０】
ハウスの側面に受ける風圧が大きいが、請求項４のように、パイプハウス側面を支持するための支柱の鉛直方向に長い一定幅の羽根板と下端の水平板を含む部分を地中に埋め込んでなる支柱の固定構造において、前記羽根板の面がパイプハウス側面と平行となるように配置することによってパイプハウスの揺れを抑制する方法を採っているため、ハウス側面に大きな風圧を受けても、鉛直方向に長い羽根板の面が効果的に抵抗となって、ハウス全体の側面方向の揺れを効果的に抑制できる。
【図面の簡単な説明】
【図１】  １棟のパイプハウスを妻面から見た主な骨組みを示す側面図である。
【図２】  支柱の斜視図と平面図である。
【図３】  図２の支柱を地中に立てて固定した断面図である。
【図４】  図１のオスメス構造の連結部の詳細を示す断面図である。
【図５】  図４の連結部の斜視図である。
【図６】  各発明を採用した連棟式のパイプハウスの骨組みの全容を示す斜視図である。
【図７】  連棟式のハウスにおける隣接するアーチパイプの足部の連結構造を例示する斜視図である。
【符号の説明】
１・２  支柱
３  大地
４  左側のアーチパイプ
５  右側のアーチパイプ
４Ｌ、５Ｌ  足部
６  オスメス連結部
７  側面部
８  屋根部
９  肩部
１０  陸梁パイプ
１１  中束パイプ
１２〜１６  直管パイプ
１７  水平板
１８  羽根板
１９  連結部
２０  横孔
２１  長尺部材
Ｂ１・Ｂ２  ボルト
Ｎ１・Ｎ２  ナット
【図１】
0003809523.tif 000002
【図２】
0003809523.tif 000003
【図３】
0003809523.tif 000004
【図４】
0003809523.tif 000005
【図５】
0003809523.tif 000006
【図６】
0003809523.tif 000007
【図７】
0003809523.tif 000008